(57)【特許請求の範囲】
【請求項１】
可撓性を有するシート状の開閉体と、該開閉体を後端側で巻き取ったり繰り出したりする巻取体と、前記開閉体を支持するように横幅方向に間隔を置いて二つ設けられるとともに上下方向へ揺動するように支持された伸縮アームと、二つの前記伸縮アームを前記後端側から支持する支持基体とを備え、二つの前記伸縮アームをそれぞれ電動で揺動させるように、前記伸縮アーム毎に対応する二つの揺動用電動駆動部を設けているオーニング装置において、
前記揺動用電動駆動部の各々は、回転式電動機と、該回転式電動機の回転力により駆動回転する駆動軸とを備え、
前記回転式電動機は、前記支持基体に支持され、
前記駆動軸は、前記支持基体に固定された軸受ブラケットに回転自在に支持され、この駆動軸には、前記伸縮アームの基端側が支持され、
前記支持基体は、前記開閉体の横幅方向へ連続する長尺状に設けられ、その一端側と他端側からそれぞれ前記軸受ブラケットを突出し、
二つの前記揺動用電動駆動部は、前記駆動軸が互いに背反する方向へ向いて前記軸受ブラケットに支持されていることを特徴とするオーニング装置。
【請求項２】
前記回転式電動機は、前記巻取体と略平行になるように支持されていることを特徴とする請求項１記載のオーニング装置。
【請求項３】
前記回転式電動機の回転軸の回転力をギヤ部を介して前記駆動軸に伝達するように構成され、前記ギヤ部は、駆動源側のウォームと、反駆動源側ウォームホイールとを噛み合わせてなるウォームギヤを具備することを特徴とする請求項１又は２記載のオーニング装置。
【請求項４】
前記開閉体を前記巻取体に巻き取って前記二つの伸縮アームを全て収縮した際に、前記二つの伸縮アームが同じ角度になるように前記二つの揺動用電動駆動部を制御したことを特徴とする請求項１乃至３何れか１項記載のオーニング装置。
【発明の詳細な説明】
【技術分野】
【０００１】
本発明は、店頭などにおいて、日除けや雨除けなどのために開閉体である例えば開閉体を開閉動作して張設・保持・収納するオーニング装置に関し、特に開閉体の角度調整を可能にしたオーニング装置に関するものである。
【背景技術】
【０００２】
従来、この種の発明には、例えば、特許文献１に記載されるもののように、可撓性を有するキャンバス（１０９）と、該キャンバスを後端側で巻き取ったり繰り出したりする巻取パイプ（１１０）と、前記キャンバスを支持するように横幅方向に間隔を置いて設けられた左右の関節アーム（１０５，１０６）と、これら関節アームを後端側から揺動可能に支持するアーム支持枠（１０３）と、前記アーム支持枠（１０３）と左右の各関節アーム（１０５，１０６）との間に構成された角度調整手段とを備えたものがある。
この従来技術によれば、前記角度調整手段を手動で調整すれば、左右の関節アーム（１０５，１０６）の角度を、日差しの加減等に応じて適宜に調整することができる。
【０００３】
しかしながら、前記従来技術では、角度調整手段を手動で調整する構造であるため、左右の関節アームの角度を両方とも変える場合には、二人で作業をするか、一人の者が片方ずつ作業をする必要がある。また、角度調整手段を手動操作するために、角度調整用リング（２０１）に、フック状の治具等を係合させて、回転操作しなければならない。そこで、左右の関節アームの角度調整をより簡単にできる構造が望まれる。
【先行技術文献】
【特許文献】
【０００４】
【特許文献１】特開２０１０−２４７６１号公報
【発明の概要】
【発明が解決しようとする課題】
【０００５】
本発明は上記従来事情に鑑みてなされたものであり、その課題とする処は、開閉体の左右の角度調整を容易に行うことができるオーニング装置を提供することにある。
【課題を解決するための手段】
【０００６】
上記課題を解決するための一手段は、可撓性を有するシート状の開閉体と、該開閉体を後端側で巻き取ったり繰り出したりする巻取体と、前記開閉体を支持するように横幅方向に間隔を置いて二つ設けられるとともに上下方向へ揺動するように支持された伸縮アームと、二つの前記伸縮アームを前記後端側から支持する支持基体とを備え、二つの前記伸縮アームをそれぞれ電動で揺動させるように、前記伸縮アーム毎に対応する二つの揺動用電動駆動部を設けているオーニング装置において、前記揺動用電動駆動部の各々は、回転式電動機と、該回転式電動機の回転力により駆動回転する駆動軸とを備え、前記回転式電動機は、前記支持基体に支持され、前記駆動軸は、前記支持基体に固定された軸受ブラケットに回転自在に支持され、この駆動軸には、前記伸縮アームの基端側が支持され、前記支持基体は、前記開閉体の横幅方向へ連続する長尺状に設けられ、その一端側と他端側からそれぞれ前記軸受ブラケットを突出し、二つの前記揺動用電動駆動部は、前記駆動軸が互いに背反する方向へ向いて前記軸受ブラケットに支持されている。
【発明の効果】
【０００７】
本発明は、以上説明したように構成されているので、複数の揺動用電動駆動部により、開閉体の左右の角度をそれぞれ容易に調整することができる。
【図面の簡単な説明】
【０００８】
【図１】本発明に係るオーニング装置の一例を示す斜視図。
【図２】同オーニング装置の左半部を示す要部正面図。
【図３】同オーニング装置の動作を示す要部側面図。
【図４】同オーニング装置の収納動作を示すフローチャート。
【発明を実施するための形態】
【０００９】
本発明を実施するために第一の形態では、可撓性を有するシート状の開閉体と、該開閉体を後端側で巻き取ったり繰り出したりする巻取体と、前記開閉体を支持するように横幅方向に間隔を置いて複数設けられるとともに上下方向へ揺動するように支持された伸縮アームと、複数の前記伸縮アームを前記後端側から支持する支持基体とを備え、複数の前記伸縮アームをそれぞれ支持基体に対し電動で揺動させるように、前記伸縮アーム毎に揺動用電動駆動部を設けた。
【００１０】
第二の形態では、特に揺動用電動駆動部をコンパクトに具備するために、前記揺動用電動駆動部の各々は、回転式電動機を備え、該回転式電動機は、前記巻取体と略平行になるように前記支持基体に支持されている。
【００１１】
第三の形態では、頑強で作動性及び生産性の良好な揺動用電動駆動部の支持構造を得るために、前記揺動用電動駆動部は、駆動回転する駆動軸を備え、該駆動軸が、前記支持基体に固定された軸受ブラケットに回転自在に支持され、前記駆動軸には、前記伸縮アームの基端側が支持されている。
【００１２】
第四の形態では、より頑強で生産性の良好な構造とするために、前記支持基体は、前記開閉体の横幅方向へ連続する長尺状に設けられ、その一端側と他端側からそれぞれ前記軸受ブラケットを突出し、前記揺動用電動駆動部は、前記駆動軸が互いに背反する方向へ向いて前記軸受ブラケットに支持されるように、二つ設けられている。
【００１３】
第五の形態では、前記回転式電動機の回転軸の回転力をギヤ部を介して前記駆動軸に伝達するように構成され、前記ギヤ部は、駆動源側のウォームと、反駆動源側ウォームホイールとを噛み合わせてなるウォームギヤを具備する。
この形態によれば、駆動源側のウォームと反駆動源側ウォームホイールとの噛み合いにより、伸縮アームの重量によって駆動軸が回転するのを防ぐことができる。
【００１４】
第六の形態では、開閉体を全て格納した際の意匠上の体裁を向上するために、前記開閉体を前記巻取体に巻き取って前記複数の伸縮アームを全て収縮した際に、前記複数の伸縮アームが全て同じ角度になるように前記複数の揺動用電動駆動部を制御した。
【００１５】
以下、上記形態の特に好ましい実施例を、図面に基づいて詳細に説明する。
【実施例】
【００１６】
このオーニング装置１は、図１〜３に示すように、可撓性を有するシート状の開閉体１０と、開閉体１０を後端側で巻き取ったり繰り出したりする巻取体２０と、開閉体１０を支持するように横幅方向に間隔を置いて複数（本実施例によれば二つ）設けられるとともに上下方向へ揺動するように支持された伸縮アーム３０と、巻取体２０及び伸縮アーム３０を前記後端側から支持する支持基体４０とを備え、複数の伸縮アーム３０をそれぞれ支持基体４０に対し電動で揺動させるように、伸縮アーム３０毎に対応する複数の揺動用電動駆動部５０を設けている。
なお、図１及び２によれば、主に左半部の構造を示すとともに右半部の構造を省略しているが、右半部の構造は、左半部の構造と左右対称である。
【００１７】
開閉体１０は、例えば、ガラスクロスやシリカクロス等の難燃性布地や、フッ素加工を施した塩化ビニル樹脂シート材、ガラス繊維を含んだ合成樹脂シート材等、耐火性（難燃性を含む）を有する可撓性シート材料によって平面視略矩形状に構成される。この開閉体１０は、キャンバスと呼称される場合もある。
この開閉体１０の前端部は、開閉体支持前枠１１に止着され、同開閉体１０の後端部は、巻取体２０の外周に止着される。
【００１８】
開閉体支持前枠１１は、開閉体１０の横幅方向の略全長にわたる棒状の部材であり、金属材料や合成樹脂材料等の硬質材料から構成される。
この開閉体支持前枠１１は、後述する複数の伸縮アーム３０の前端部によって支持される。
【００１９】
巻取体２０は、開閉体１０の横幅方向の全長と略同等の長さの円筒体状に形成され、その両端側に巻取体支持ブラケット４３を介することで、支持基体４０の前方斜め上方側に離間した位置で、回転自在に支持されている。
この巻取体２０内には、図示しない回転式電動機（例えば、チューブラモータ等）が具備される。この回転式電動機は、基部と該基部に対し双方向へ駆動回転する出力軸とを備え、前記基部を巻取体２０内面に固定するとともに、前記出力軸を巻取体支持ブラケット４３に対し回転不能に固定している。したがって、前記回転式電動機の供給電源を制御すれば、巻取体２０を双方向へ回転させることができる。
【００２０】
伸縮アーム３０は、折れ曲がるようにして収縮し、展開するようにして伸長する複数（図示例によれば二つ）の関節アーム３１，３２と、これら関節アーム３１，３２を伸長方向へ付勢する図示しない付勢部材（例えば、コイルスプリングや板バネ等）とを具備してなる。
この伸縮アーム３０によれば、巻取体２０を繰出し方向へ回転させると、開閉体１０が繰り出されるのに伴って、開閉体支持前枠１１が巻取体２０から離れてゆくとともに、伸縮アーム３０が前記付勢部材の付勢力によって展開するように伸長する。また、巻取体２０を巻取り方向へ回転させれば、開閉体１０が巻取体２０に巻き取られるのに伴って、開閉体支持前枠１１が巻取体２０に近づくとともに、伸縮アーム３０が折れ曲がるようにして収縮する。
【００２１】
一方の関節アーム３１の基端側は、アームブラケット３３の先端側に、略水平方向へ回動するように支持され、同関節アーム３１の先端側には、他方の関節アーム３２が略水平方向へ回動するように支持される。また、他方の関節アーム３２は、その先端側が、開閉体支持前枠１１に対し、略水平方向へ回動するように接続されている。
【００２２】
また、アームブラケット３３は、後述する揺動用電動駆動部５０の駆動軸５３に固定されて前方へ突出しており、駆動軸５３の回転に伴って上下に揺動する。
【００２３】
支持基体４０は、開閉体１０の横幅方向へ連続する長尺角柱状の部材であり、開閉体１０の横幅方向の寸法よりも若干長く形成されている。
この支持基体４０は、長手方向の中途位置に止着された複数の取付ブラケット４１により、当該オーニング装置１の設置対象物である建造物等に対し、不動に固定される。
この支持基体４０には、駆動軸５３を回転自在に支持する軸受ブラケット４２、巻取体２０を回転自在に支持する巻取体支持ブラケット４３、揺動用電動駆動部５０の中途部分を支持する途中支持ブラケット４４、揺動用電動駆動部５０の基端側を支持する基端側支持ブラケット４５が、それぞれ回動不能且つ軸方向移動不能に固定される。
【００２４】
軸受ブラケット４２は、支持基体４０の一端側と他端側にそれぞれ配設される。この軸受ブラケット４２は、角柱状の支持基体４０に対し環状に装着されることで、回転不能に固定され、突出する先端側を前方斜め下方へ向けており、この先端側部分に揺動用電動駆動部５０の駆動軸５３の先端部を挿通させて回転自在に支持している。
【００２５】
巻取体支持ブラケット４３は、軸受ブラケット４２における開閉体横幅方向の内側に接触するようにして配設される。この巻取体支持ブラケット４３は、角柱状の支持基体４０に対し環状に装着されることで、回転不能に固定され、突出する先端側を前方斜め上方へ向けており、この先端側部分によって巻取体２０を回転可能に支持している。
【００２６】
途中支持ブラケット４４は、巻取体支持ブラケット４３から開閉体横幅方向の中央寄りへ離間した位置に設けられる。この途中支持ブラケット４４は、角柱状の支持基体４０に対し環状に装着されることで、回転不能に固定され、突出する先端側を前方斜め下方へ向けており、この突出部分に、揺動用電動駆動部５０を構成する回転式電動機５１の回転軸を回転自在に支持し、この支持箇所よりも先端側の部分に、揺動用電動駆動部５０を構成するギヤ部５２を支持している。
【００２７】
基端側支持ブラケット４５は、途中支持ブラケット４４から開閉体横幅方向へ離間した位置であって、支持基体４０の長手方向の中央寄りとなる位置に設けられる。この基端側支持ブラケット４５は、角柱状の支持基体４０に対し環状に装着されることで、回転不能に固定され、支持基体４０外面から突出する部分によって揺動用電動駆動部５０の基部５１ａを回転不能に支持する。
【００２８】
揺動用電動駆動部５０は、双方向へ回転動作する回転式電動機５１と、該回転式電動機５１の回転速度及び回転力を適宜に調整して出力するギヤ部５２と、ギヤ部５２の出力側に連結された駆動軸５３とを具備している。
そして、この揺動用電動駆動部５０は、駆動軸５３が互いに背反する方向へ向いて軸受ブラケット４２に支持されるように、二つ設けられている。
【００２９】
回転式電動機５１は、基部５１ａ（図２参照）と、該基部５１ａの周りを回転する回転部５１ｂとを有する電動モータ（例えばチューブラモータ等）であり、回転中心部が巻取体２０と平行になり且つ支持基体４０に近接するように、支持基体４０に支持されている。
基部５１ａは、図示例によれば、支持基体４０と略平行な軸状に形成され、基端側支持ブラケット４５を介することで、支持基体４０に対し回転不能に固定されている。
回転部５１ｂは、基部５１ａの周囲を覆う略筒状に形成され、その先端側に一体に回転軸５１ｂ１を突出しており、該回転部５１ｂ１を途中支持ブラケット４４に挿通させて回転自在に支持される。
【００３０】
ギヤ部５２は、回転式電動機５１の回転軸５１ｂ１の回転速度を減速するとともにその回転力を増加して出力するギヤ機構である。
このギヤ部５２は、回転式電動機５１の回転力を該回転式電動機５１の中心軸上で受け、前記中心軸からずれた位置で出力するように構成される。この構成によれば、回転する駆動軸５３及びアームブラケット３３等を、支持基体４０側の不動部材（例えば、支持基体４０や、巻取体支持ブラケット４３等）に干渉するのを防いだ上で、比較的長尺な回転式電動機５１を支持基体４０に近接させて配置することができ、ひいては、支持基体４０の前方斜め下方側に、回転式電動機５１が突出する量を低減することができる。
【００３１】
また、図示例のギヤ部５２は、駆動源側のウォーム５２ａ，５２ｃと反駆動源側のウォームホイール５２ｂ，５２ｄとを噛み合わせたウォームギアを構成している。
より詳細に説明すれば、ギヤ部５２は、回転式電動機５１の回転軸５１ｂ１の軸線上に連結されたウォーム５２ａと、該ウォーム５２ａに軸線を略直交させて噛み合うウォームホイール５２ｂと、該ウォームホイール５２ｂの軸線上に連結されたウォーム５２ｃと、該ウォーム５２ｃに軸線を略直交させて噛み合うウォームホイール５２ｄとによって、二組のウォームギアを構成しており、最も反駆動源側のウォームホイール５２ｄの軸線上に、駆動軸５３を連結している。ウォームホイール５２ｂとウォームホイール５２ｄは、支持ケース５２ｅを介して、途中支持ブラケット４４に対し回転自在に支持されている。
この構成によれば、回転式電動機５１が停止した際、伸縮アーム３０及び開閉体支持前枠１１等の重量により駆動軸５３が回転しようとするが、この回転を、駆動源側のウォーム５２ａ，５２ｃと反駆動源側のウォームホイール５２ｂ，５２ｄとを噛み合いにより阻むことができる。
なお、図示例によれば、二組のウォームギアを全て覆って支持するように支持ケース５２ｅを設けたが、他例としては、二組のウォームギアをそれぞれ覆い支持するように二つの支持ケースを設けた態様や、前記支持ケースに置換して各ウォームギアを露出して支持するブラケットを用いた態様等とすることも可能である。
【００３２】
駆動軸５３は、支持基体４０と略平行な軸状の部材である。この駆動軸５３の一端側は、ギヤ部５２の出力側のウォームホイール５２ｄに連結されるとともに、ギヤ部５２の支持ケース５２ｅを介して途中支持ブラケット４４に対し回転自在に支持されている。また、この駆動軸５３の他端側は、軸受ブラケット４２に挿通されて回転自在に支持されている。
この駆動軸５３は、回転式電動機５１の回転力をギヤ部５２を介して受けて回転する。
【００３３】
また、図中、符号６１は、支持基体４０及び巻取体２０等の上方を覆う上部カバー、符号６２，６２は、支持基体４０及び巻取体２０等の側方を覆う側部カバーである。
また、図示を省略するが、このオーニング装置１には、巻取体２０内の回転駆動源（図示せず）及び揺動用電動駆動部５０の回転式電動機５１を制御するための操作スイッチ及び制御部が電気的に接続されている。
前記操作スイッチは、巻取体２０内の回転式電動機（図示せず）を繰出し方向へ回転させるスイッチ、同回転式電動機を逆方向へ回転させるスイッチ、複数（図示例によれば二つ）の回転式電動機５１のそれぞれに対応して、各回転式電動機５１を一方へ回転させるスイッチ、各回転式電動機５１を逆方向へ回転させるスイッチ等を具備してなる。
前記制御部は、前記操作スイッチから入力される信号や、その他のセンサや機器等から入力される信号に応じて、巻取体２０内の回転式電動機（図示せず）や、複数の回転式電動機５１を制御するための信号を発する電気回路であり、例えば、マイコン回路やシーケンサー等を用いたプログラムドロジック回路や、電子回路やリレー回路等を用いたワイヤードロジック回路、あるいはこれらを適宜に組み合わせた回路等により構成される。
【００３４】
そして、前記制御部は、前記操作スイッチ等の信号により開閉体１０を格納するように操作された場合、開閉体１０を巻取体２０に巻き取って複数の伸縮アーム３０を全て収縮した際に、複数の伸縮アーム３０が全て同じ角度になるように複数の揺動用電動駆動部５０を制御する。
以下、この制御について、図４に示すフローチャートに沿って詳細に説明する。
【００３５】
先ず、前記制御部は、開閉体１０が格納位置でるか否かを判断し（ステップ１）、格納位置である場合には、次のステップ２へ処理を進め、そうでなければ当該フローチャートを終了する。
ここで、前記格納位置とは、巻取体２０が開閉体１０を巻取り、伸縮アーム３０が略収縮しきった状態を意味する。開閉体１０が前記格納位置であるか否かは、例えば、巻取体２０又は巻取体２０内の回転式電動機の回転量に応じて作動する検知スイッチ（例えば、カウンター式のリミットスイッチ）を設け、該検知スイッチの信号の有無により判断すればよい。すなわち、前記検知スイッチは、巻取体２０又は巻取体２０内の回転式電動機の回転量が所定値以下の場合に接点信号を出力するように設けられ、前記制御部は、前記検知スイッチから入力される接点信号がある場合に、開閉体１０が格納位置であると判断する。
【００３６】
ステップ２では、開閉体収納信号の有無を判断し、開閉体収納信号がある場合には、次のステップ３へ処理を進め、そうでなければ、当該フローチャートを終了する。
前記開閉体収納信号は、完全に展開された状態又は途中位置まで展開された状態の開閉体１０を、前記格納位置まで収納動作させるための信号であり、例えば、前記操作スイッチの操作により発せられた信号とすればよい。
【００３７】
ステップ３では、巻取体２０内の回転式電動機を回転させることにより、巻取体２０を巻取り方向へ回転させて、該巻取体２０に開閉体１０を巻き取るとともに、複数の伸縮アーム３０を付勢部材（図示せず）の付勢力に抗して収縮させる。
【００３８】
ステップ４では、開閉体１０が格納位置になったか否かが判断され、開閉体１０が格納位置になった場合には、次のステップ５へ処理を進め、そうでなければ、巻取体２０の巻取方向への回転を継続する。このステップで、開閉体１０が格納位置になったか否かの判断は、上記ステップ１と略同様に、巻取体２０又は巻取体２０内の回転式電動機の回転量に応じて作動する前記検知スイッチの信号の有無により判断すればよい。
【００３９】
ステップ５では、巻取体２０内の回転式電動機（図示せず）を停止することで、巻取体２０の回転を停止する。
なお、巻取体２０内の回転式電動機は、前記停止時に出力軸が自由回転しないように構成される。この構成は、例えば、前記回転式電動機に回転軸をロックしたり解放したりするブレーキ機構を具備すればよい。
【００４０】
ステップ６では、複数の揺動用電動駆動部５０の全てについて、揺動用電動駆動部５０を駆動させることで、アームブラケット３３、伸縮アーム３０、開閉体支持前枠１１及び開閉体１０等を上方へ揺動させる（図３参照）。より詳細に説明すれば、揺動用電動駆動部５０の回転式電動機５１に電力を供給することで、該回転式電動機５１を回転させるとともに該回転式電動機５１の回転力によって駆動軸５３を回転させて、アームブラケット３３、伸縮アーム３０、開閉体支持前枠１１及び開閉体１０を上方へ揺動させる。
【００４１】
ステップ７では、開閉体１０の角度、すなわち伸縮アーム３０の角度が上限に達したか否かが判断され、上限（図３の二点鎖線参照）に達した場合には、次のステップ８へ処理を進め、そうでなければ、ステップ６による上方への揺動を継続する。
ここで、開閉体１０及び伸縮アーム３０等が上限に達したか否かの判断は、揺動用電動駆動部５０に具備されるリミットスイッチ（図示せず）の信号の有無による判断である。前記リミットスイッチは、回転軸５１ｂ１や駆動軸５３等の回転部分が所定の回転量となった場合に作動する接触式スイッチ又は非接触式スイッチ（例えば、カウンター式スイッチや、エンコーダスイッチ、ホールセンサ等）、あるいは、アームブラケット３３等の揺動部分が所定量上方へ揺動した際に作動するように設けられた接触式スイッチ又は非接触式スイッチ（例えば、マイクロスイッチや、近接スイッチ、ホールセンサ等）等とすればよい。
なお、前記上限となる角度は、開閉体１０上に雪や雨が停滞することなく流れ落ちるように、適宜に設定されている。
【００４２】
ステップ８では、複数の揺動用電動駆動部５０の全てについて、揺動用電動駆動部５０の回転式電動機５１への供給電力を遮断することで、伸縮アーム３０及び開閉体１０等の揺動を停止する。この停止の際、アームブラケット３３及び伸縮アーム３０等が重量によって下方へ揺動してしまうのを、ギヤ部５２内の駆動源側のウォーム５２ａ，５２ｃと反駆動源側のウォームホイール５２ｂ，５２ｄとの噛み合いによって阻むことができる。
【００４３】
なお、フローチャートによる説明を省略するが、上記制御部は、上記操作スイッチや、センサ等から発せられる信号として停止信号を受けた場合、上記ステップのどの段階であっても、巻取体２０内の回転式電動機の停止、及び揺動用電動駆動部５０の停止を行う。
また、上記制御部は、上記操作スイッチやセンサ等から発せられる信号として、開閉体１０を展開するための信号を受けた場合には、開閉体１０を展開するように、巻取体２０内の回転式電動機を回転させる。
また、上記制御部は、上記操作スイッチやセンサ等から発せられる信号として、開閉体１０を上方又は下方へ揺動させる信号を受けた場合には、その信号に応じて、伸縮アーム３０等の上方又は下方へ揺動させるように、回転式電動機５１を回転させる。
【００４４】
よって、上記構成のオーニング装置１によれば、二つの揺動用電動駆動部５０，５０をそれぞれ個別に制御することができ、このことによって、開閉体１０の左右の傾斜角度を容易に調整することができる。例えば、左側の揺動用電動駆動部５０のみを回転させて、開閉体１０の左側のみを下方へ傾斜させたり、逆に、右側の揺動用電動駆動部５０のみを回転させて開閉体１０の右側のみを下方へ傾斜させたりなどすることができ、ひいては、日照や風雨の状態等に応じて、開閉体１０を適切な傾斜状態にすることができる。
しかも、揺動用電動駆動部５０を支持基体４０に近接して横幅方向へわたって設けているため、支持基体４０下方側へ突出する部分が少なく、ひいては、下方側へ突出する部品等が当該オーニング装置１の設置対象物（建築物等）に干渉したり、下方へ突出する部品等が当該オーニング装置１の意匠上の体裁を損ねたりするのを防ぐことができる。
また、伸縮アーム３０を揺動させるための駆動軸５３を、軸方向両側の軸受ブラケット４２及び途中支持ブラケット４４等を介して支持基体４０に支持するようにしているため、伸縮アーム３０を揺動可能に支持する構造を、頑強で作動性の良好な構成とすることができる。
また、開閉体１０を巻取体２０に巻き取って複数の伸縮アーム３０を全て収縮させることで、開閉体１０を格納位置にした際には、複数の伸縮アーム３０が全て同じ角度となるため、開閉体１０の格納状態での意匠上の体裁を向上することができる。
【００４５】
なお、上記実施例によれば、伸縮アーム３０を折り畳むようにして収縮させる構造としたが、この伸縮アーム３０は、開閉体１０の展開収納方向へ収縮する構造であればよく、この伸縮アーム３０の他例としては、外径の異なる複数の筒体を径方向に重ね合わせてなり、内外の筒体が互いに軸方向へスライドして収縮する態様や、その他の構造とすることも可能である。
【００４６】
また、上記実施例では、ギヤ部５２を複数組のウォームギアから構成したが、他例としては、単数のウォームギアと他の動力伝達機構（例えば、平歯車や傘歯車等を用いた歯車機構、ベルトとプーリによる伝達機構、チェーンとスプロケットによる伝達機構等）との組み合わせにより構成したり、前記他の動力伝達機能のみによる構成としたりすることも可能である。
【００４７】
また、上記実施例では、回転式電動機５１の軸線と駆動軸５３の軸線をずらすようにしたが、他例としては、ギヤ部５２内の入力側歯車と出力側歯車を同一直線上に配置することで、前記軸線を同一直線上に配置した構成とすることも可能である。さらに、他例としては、ギヤ部５２を省いて、回転式電動機５１の回転軸５１ｂ１と駆動軸５３とを直結する構造とすることも可能である。
【００４８】
また、上記実施例では、駆動源側のウォーム５２ａ，５２ｃと反駆動源側のウォームホイール５２ｂ，５２ｄとの噛み合いにより、伸縮アーム３０等の重量による駆動軸５３の回転が抑制されるようにしたが、他例としては、回転式電動機５１が停止した際に、図示しないブレーキパッドを回転部分（例えば、駆動軸５３や回転部５１ｂ等）に摺接又は噛合させて駆動軸５３の回転を抑制する構造とすることも可能である。
【００４９】
また、上記実施例では、開閉体１０を格納位置にした場合に、開閉体１０及び伸縮アーム３０等を、その揺動範囲の上限で停止するようにしたが、他例としては、開閉体１０及び伸縮アーム３０等を、揺動範囲の下限で停止させる構造としたり、揺動範囲の中途位置で停止させたり等することも可能である。
【００５０】
また、上記実施例では、操作スイッチ（図示せず）の操作により、開閉体１０を展開動作又は収納動作したり、回転式電動機５１を回転させて左右の伸縮アーム３０の傾斜角度を変更するようにしたが、他例としては、日照センサ、照度センサ、風力センサ、積雪センサ、雨センサ、温度センサ、火災センサ、煙センサ等のうち、一種類以上のセンサを備え、これらセンサの感知信号に応じて、前記展開動作や、収納動作、傾斜角度の変更等を自動的に行う構成とすることも可能である。
【００５１】
また、上記実施例に追加する構成として、太陽の動きに追従させるようにして、前記展開動作や、収納動作、傾斜角度の変更等を自動的に行う構成とすることも可能である。
【符号の説明】
【００５２】
１：オーニング装置                １０：開閉体（キャンバス）
２０：巻取体                      ３０：伸縮アーム
３３：アームブラケット            ４０：支持基体
４２：軸受ブラケット              ４３：巻取体支持ブラケット
４４：途中支持ブラケット          ４５：基端側支持ブラケット
５０：揺動用電動駆動部            ５１：回転式電動機
５２：ギヤ部                      ５２ａ，５２ｃ：ウォーム
５２ｂ，５２ｄ：ウォームホイール  ５３：駆動軸
【図１】
0006016398.tif 000002
【図２】
0006016398.tif 000003
【図３】
0006016398.tif 000004
【図４】
0006016398.tif 000005